【事件の表示】
　特許第２９９５９９０号「プリンタ」の請求項１に係る特許に対する特許異議の申立てについて、次のとおり決定する。
【結　論】
　訂正を認める。
　特許第２９９５９９０号の請求項１に係る特許を維持する。
【理　由】
１．手続きの経緯
　特許第2995990号の請求項１に係る発明は、平成4年2月28日に特許出願され、平成11年10月29日にその特許権の設定登録がなされ、その後、宮城真智子より特許異議の申立てがなされ、取消の理由が通知され、その指定期間内である平成12年12月26日に特許異議意見書が提出されるとともに、訂正請求がなされたものである。
　
２．訂正の適否についての判断
（１）訂正の内容
［訂正事項ａ］
　請求項１の
「印字ヘッドと、該印字ヘッドと対向して設けられたプラテンと、該印字ヘッドとプラテンとの間隔の調整を行う間隔調整手段と、印字様式のデータと前記間隔調整手段を制御するためのデータとの組を複数組記憶する記憶手段と、該記憶手段に記憶された複数の印字様式のデータと間隔調整手段を制御するためのデータとの組より所望の組を選択する選択手段と、該選択手段により選択された所望の組における間隔調整手段を制御するためのデータに応じて前記間隔調整手段を作動させるとともに、前記選択された組における印字様式のデータに従って印字を行うように制御する制御手段とを備えることを特徴とするプリンタ。」
とあるを、
「用紙に印字するための印字ヘッドと、該印字ヘッドと対向して設けられたプラテンと、該印字ヘッドとプラテンとの間隔の調整を行う間隔調整手段と、印字様式のデータと前記間隔調整手段を制御するためのデータであって前記間隔の大きさを指示するためのデータとの組と、前記印字様式のデータと前記間隔調整手段を制御するためのデータであって前記間隔の自動調整を指示するデータとの組とを記憶する記憶手段と、該記憶手段に記憶された複数の印字様式のデータと間隔調整手段を制御するためのデータとの組より所望の組を選択する選択手段と、該選択手段により選択された所望の組における間隔調整手段を制御するためのデータが前記間隔の大きさを指示するためのデータの場合には当該データに従って前記間隔を調整し、前記データが前記間隔の自動調整を指示するデータの場合には前記用紙の厚さを割り出して前記間隔を調整するように前記間隔調整手段を作動させるとともに、前記選択された組における印字様式のデータに従って印字を行うように制御する制御手段とを備えることを特徴とするプリンタ。」
と訂正する。
［訂正事項ｂ］
　特許明細書の段落番号［0007］を、
「【課題を解決するための手段】
  この目的を達成するために本発明のプリンタは、図１に示されるように、用紙に印字するための印字ヘッド（ａ）と、該印字ヘッドと対向して設けられたプラテン（ｂ）と、該印字ヘッドとプラテンとの間隔の調整を行う間隔調整手段（ｃ）と、印字様式のデータと前記間隔調整手段を制御するためのデータであって前記間隔の大きさを指示するためのデータとの組と、前記印字様式のデータと前記間隔調整手段を制御するためのデータであって前記間隔の自動調整を指示するデータとの組とを記憶する記憶手段（ｄ）と、該記憶手段に記憶された複数の印字様式のデータと間隔調整手段を制御するためのデータとの組より、所望の組を選択する選択手段（ｅ）と、該選択手段により選択された所望の組における間隔調整手段を制御するためのデータが前記間隔の大きさを指示するためのデータの場合には当該データに従って前記間隔を調整し、前記データが前記間隔の自動調整を指示するデータの場合には前記用紙の厚さを割り出して前記間隔を調整するように前記間隔調整手段を作動させるとともに、前記選択された組における印字様式のデータに従って、印字を行うように制御する制御手段（ｆ）とを備えることを特徴とする。」
と訂正する。
［訂正事項ｃ］
　特許明細書の段落番号［0009］を、
「印字用紙に印字を行うに際し、選択手段（ｅ）により印字様式のデータと間隔調整手段（ｃ）を制御するためのデータとの組が選択されると、制御手段（ｆ）は、選択された印字様式のデータと間隔調整手段（ｃ）を制御するためのデータとの組を記憶手段（ｄ）より読み込んで、読み込まれたデータに応じて、間隔調整手段（ｃ）を作動させるとともに、印字様式のデータに従って印字を行うように制御する。この時、間隔調整手段を制御するためのデータが前記間隔の大きさを指示するためのデータの場合には当該データに従って前記間隔を調整し、前記データが前記間隔の自動調整を指示するデータの場合には前記用紙の厚さを割り出して前記間隔を調整する。」
と訂正する。
［訂正事項ｄ］
　特許明細書の段落番号［0037］を、
「【発明の効果】
  以上説明した様に、本発明によれば、オペレーターは印字用紙を変更するときに、スイッチパネルの簡単な操作をするだけで、印字様式の設定と同時に印字用紙と印字ヘッドとの間隔を、間隔調整手段を制御するためのデータが間隔の大きさを指示するためのデータの場合には当該データに従って前記間隔を調整し、前記データが前記間隔の自動調整を指示するデータの場合には前記用紙の厚さを割り出して前記間隔を調整することが可能で、印字用紙の吸入たびに、印字用紙厚を検出して間隔の調整をする方法に較べて、業務の処理スピードが向上し、また、プリンタ内部にデーターを保持するため、ホストコンピュータ等の、システムが限定されることがない。」
と訂正する。
　
（２）訂正の目的の適否、新規事項の有無及び拡張・変更の存否
　訂正事項ａは、印字ヘッドの用途を限定し、また、記憶手段に記憶される複数組データの内容を、「印字様式のデータと間隔の大きさを指示するためのデータとの組と、印字様式のデータと間隔の自動調整を指示するデータとの組」に限定し、さらに限定された複数組データの内容にしたがって制御手段を制御するように限定するものであり、特許請求の範囲の減縮を目的とするものである。
　訂正事項ｂ乃至ｄは、特許請求の範囲の訂正に伴って、発明の詳細な説明をそれに整合させるためのものであって、明りょうでない記載の釈明を目的とするものである。
　そして、「前記印字様式のデータと前記間隔調整手段を制御するためのデータであって前記間隔の自動調整を指示するデータとの組とを記憶する記憶手段」については、特許明細書の段落番号［0024］に記載されているし、「前記データが前記間隔の自動調整を指示するデータの場合には前記用紙の厚さを割り出して前記間隔を調整するように前記間隔調整手段を作動させる」については、特許明細書の段落番号［0032］及び［0033］に記載されているから、新規事項の追加に該当しないし、訂正事項ａ乃至ｄは特許請求の範囲を実質的に拡張あるいは変更するものでもない。
　
（３）むすび
　以上のとおりであるから、上記訂正は平成６年改正法附則第6条第1項の規定によりなお従前の例によるとされる、特許法第120条の4第3項において準用する平成６年改正法による改正前の特許法第126条第1項ただし書き、第2項及び第3項の規定に適合するので、当該訂正を認める。
　
３．特許異議の申立てについての判断
（１）異議申立ての理由及び当審の取消理由の概要
　宮城真智子の異議申立の理由は、特許明細書の請求項１に係る発明は、甲第１号証刊行物（特開昭63-265649号公報）記載の発明に基づいて当業者が容易に発明をすることができたものであって、特許法第29条第2項の規定によって特許を受けることができない、というものである。
　当審の取消理由は、甲第１号証（刊行物１）に加えて特開平2-171250号公報（刊行物２）を証拠として挙げて、特許明細書の請求項１に係る発明は、刊行物１及び刊行物２記載の発明に基づいて当業者が容易に発明をすることができたものであって、特許法第29条第2項の規定によって特許を受けることができない、というものである。
　
（２）本件の請求項１に係る発明
　本件の請求項１に係る発明は、訂正明細書の特許請求の範囲の請求項１に記載さた次のとおりのものである。（以下、「本件発明」という。）
「用紙に印字するための印字ヘッドと、該印字ヘッドと対向して設けられたプラテンと、該印字ヘッドとプラテンとの間隔の調整を行う間隔調整手段と、印字様式のデータと前記間隔調整手段を制御するためのデータであって前記間隔の大きさを指示するためのデータとの組と、前記印字様式のデータと前記間隔調整手段を制御するためのデータであって前記間隔の自動調整を指示するデータとの組とを記憶する記憶手段と、該記憶手段に記憶された複数の印字様式のデータと間隔調整手段を制御するためのデータとの組より所望の組を選択する選択手段と、該選択手段により選択された所望の組における間隔調整手段を制御するためのデータが前記間隔の大きさを指示するためのデータの場合には当該データに従って前記間隔を調整し、前記データが前記間隔の自動調整を指示するデータの場合には前記用紙の厚さを割り出して前記間隔を調整するように前記間隔調整手段を作動させるとともに、前記選択された組における印字様式のデータに従って印字を行うように制御する制御手段とを備えることを特徴とするプリンタ。」
　
（３）刊行物記載の発明
［刊行物１：特開昭63-265649号公報（異議申立書の甲第１号証）］
ａ．「プラテン（２）と、そのプラテン（２）に対向配置された印字ヘッド（６）とを備え、プラテン（２）上の単票用紙や封筒等を含む印字用紙に印字を行うプリンタ」（第１頁左下欄、第２図、第６図参照）、
ｂ．「ＣＰＵ３１はステップＳ７でロードスイッチ２４ａから印字用紙が封筒であることを識別する信号が出力されているか否かを検知することにより印字モードがＥＮＶＥＬＯＰＥモードに選択設定されているか否かを判断する。」（第４頁左下欄第１６行〜右下欄第１行）、
ｃ．「印字ヘッドの先端を印字面に当接させた後、印字モードがＥＮＶＥＬＯＰＥモードに選択設定されているか否かを判断し、その選択設定された印字モードに応じて印字ヘッド先端と印字面との間隔を第１の距離Ｄ１又は第２の距離Ｄ２にする」（第５図のＳ６、Ｓ７、Ｓ８，Ｓ１０参照）
ｄ．「ＥＮＶＥＬＯＰＥモード以外の印字モードが選択設定されている。・・・間隔調整用モータ２０をＲＯＭ３２に記憶された第１の所定量だけ駆動し、歯車２１を反時計方向へ回転させる。この回転により前記のようにキャリッジ５がプラテン２から離間する方向へ一定量だけ移動されて、印字ヘッド６の先端とプラテン２上の印字用紙の印字面との間隔が第６図に示す第１の距離Ｄ１に設定される。そして・・・周期Ｔで駆動回路を介して印字ヘッド６を駆動すると共に、周期Ｔで駆動回路３８を介してキャリッジ移動用モータ１９の励磁切換えを行い、該モータ１９を駆動する。これにより、通常の速度で印字動作が行われる。」（第４頁右下欄第２行〜第５頁左上欄第２行、第４図、第５図、第７図参照）、
ｅ．「印字モードはＥＮＶＥＬＯＰＥモードに選択設定されており、・・・間隔調整用モータ２０をＲＯＭ３２に記憶されている第２の所定量だけ駆動し、歯車２１を反時計方向へステップ８における回転量よりも多く回転させる。この回転によりキャリッジ５がプラテン２から離間する方向へ移動されて、印字ヘッド６の先端とプラテン２上の封筒Ｐ５の印字面との間隔が第６図に示す第１の距離Ｄ１の略２倍に相当する第２の距離Ｄ２に設定される。このことにより、印字ヘッド６が封筒Ｐ５の重合貼合部と対向する位置へ移動しても、印字ヘッド６の先端が封筒Ｐ５の重合貼合部に接触しない。・・・第１印字ルーチンにおける周期Ｔの略２倍に相当する周期２Ｔで駆動回路３７を介して印字ヘッド６を駆動すると共に、周期２Ｔで駆動回路３８を介してキャリッジ移動用モータ１９の励磁切換えを行い、キャリッジ駆動用モータ１９を駆動する。これにより、印字速度が第１印字ルーチンにより実行される印字速度の略１／２倍の遅い速度になる。」（第５頁左上欄第５行〜右上欄第１２行、第４図、第５図、第７図参照）、
　前記記載を対比のためにまとめると、刊行物１には以下の発明が記載されているものと認める。なお、この認定に関して特許権者は平成12年12月26日付けの特許異議意見書第3頁において認めている。
「プラテンと対向配置された印字ヘッドと、該印字ヘッドの先端とプラテン上の印字用紙の印字面との間隔を、第１の距離Ｄ１または第２の距離Ｄ２に設定する間隔調整用モータと、
　該間隔調整用モータを制御するためのデータである第１の所定量及び第２の所定量を記憶するＲＯＭと、
　ロードスイッチによりＥＮＶＥＬＯＰＥモード以外の印字モードが選択設定された場合に、前記ＲＯＭに記憶された第１の所定量を選択し、該第１の所定量だけ前記間隔調整用モータを駆動して前記第１の距離Ｄ１を設定するとともに、通常の速度での印字を実行させ、前記ロードスイッチによりＥＮＶＥＬＯＰＥモードが選択された場合には、前記ＲＯＭに記憶された第２の所定量を選択し、該第２の所定量だけ前記間隔調整用モータを駆動して前記第２の距離Ｄ２を設定するとともに、通常の速度の略１／２の遅い速度での印字を実行させる制御手段を備えたプリンタ」
　
［刊行物２：特開平2-171250号公報］
ａ．プリンタ１は、印字媒体のサイズを検出するためのセンサ20ａ，20ｂ，２０ｃ（第３図参照）が設けられていない。したがって、センサ制御部25も設けられていない。また、印字装置30については、印字ヘッド33が、支持棒34に、紙面と垂直の方向にスライド自在に支持されている。・・・そして、支持棒34は、偏心して矢印34Ａで示す時計方向に回転するようになっている。従って、支持棒34の回転角度の調整により、印字ヘッド33を前後に移動させてプラテン4との距離を調整することができる。これにより、印字ヘッド33の印字圧が調整される。支持棒34は、パルスモータ29により回転されるようになっている。印字圧切換器28は、ホストコンピュータ4からプリンタ1へ送られる印字圧情報である数値データに対応したパルス数のパルス信号を出力するものである。・・・印字圧切換器28から出力されるパルス信号のパルス数によって、パルスモータ29の回転角度が決定される。」（公報第3頁左上欄第19行〜左下欄第5行）
ｂ．「オペレータは、伝票番号を指定するキーを押下することによって、伝票の種類を指定する。・・・ホストコンピュータは、端末装置側から送られた電文を受けとって、この電文から伝票作成または通帳記帳等のデータ処理の種類についての情報を取出す。そして、処理の種類が伝票作成である場合は、この電文から伝票番号を取出す。ホストコンピュータ４には、伝票の書式を決定するための複数の帳票テーブルが記憶されている。これらの各帳票テーブルは、各伝票番号に対応している。」（第３頁左下欄第１７行〜右下欄第１６行、第１図、第４図参照）
ｃ．「オペレータは、伝票作成を行うときは、第１図において、伝票用紙をプリンタ１に設定する。そして、端末装置のキーボード２を操作して、伝票番号と伝票作成に必要なパラメータを入力する。これらの伝票番号とパラメータは、ホストコンピュータに送られる。ホストコンピュータ４からは、第４図の帳票テーブル１４を含む電文が送り返される。・・・そして、プロセッサ２４により第４図の帳票テーブル１４に格納されている印字圧情報である数値データが読出され、・・・印字ヘッド３３と、伝票２２または通帳２３との距離を調整し、所定の印字圧を決定する。」（第４頁右下欄第４行〜第５頁左上欄第３行、第１図、第４図参照）
ｄ．「印字速度の情報、及び印字圧情報等を有する帳票テーブル」（第４図参照）
　以上の記載を対比のためにまとめると、刊行物２には以下の発明が記載されているものと認める。
「ホストコンピュータに設けられていて、印字様式のデータと間隔調整手段を制御するためのデータであって印字ヘッドとプラテンとの間隔の大きさを指示するためのデータとの組を記憶する記憶手段と、
　用紙サイズを検出するための手段を有しないプリンタに設けられていて、用紙に印字するための印字ヘッドと、該印字ヘッドと対向して設けられたプラテンと、該印字ヘッドとプラテンとの間隔の調整を行う間隔調整手段と、上記記憶手段に記憶された複数の印字様式のデータと間隔調整手段を制御するためのデータとの組より所望の組を選択する選択手段と、該選択手段により選択された所望の組における間隔調整手段を制御するためのデータに従って前記間隔を調整するように前記間隔調整手段を作動させるとともに、前記選択された組における印字様式のデータに従って印字を行うように制御する制御手段。」
　
（４）対比・判断
　本件発明と刊行物２記載の発明とを対比すると、両者間には次のような一致点、相違点がある。
（一致点）
　用紙に印字するための印字ヘッドと、該印字ヘッドと対向して設けられたプラテンと、該印字ヘッドとプラテンとの間隔の調整を行う間隔調整手段と、記憶手段に記憶された複数の印字様式のデータと間隔調整手段を制御するためのデータとの組より所望の組を選択する選択手段と、該選択手段により選択された所望の組における間隔調整手段を制御するためのデータに従って前記間隔を調整するように前記間隔調整手段を作動させるとともに、前記選択された組における印字様式のデータに従って印字を行うように制御する制御手段とを備えることを特徴とするプリンタ。
（相違点）
（１）複数の印字様式のデータと間隔調整手段を制御するためのデータとの組を記憶する手段が、本件発明はプリンタ側に設けられているのに対して、刊行物２記載の発明はホストコンピュータ側に設けられている点。
（２）複数の印字様式のデータと間隔調整手段を制御するためのデータの組が、本件発明は印字様式のデータと間隔の大きさを指示するためのデータとの組と、印字様式のデータと間隔の自動調整を指示するデータとの組であるのに対して、刊行物２記載の発明は印字様式のデータと間隔の大きさを指示するためのデータとの組だけである点。
（３）制御手段が選択された所望の組における間隔調整手段を制御するためのデータに従って前記間隔を調整するように前記間隔調整手段を作動させる場合、本件発明はデータが間隔の大きさを指示するためのデータの場合には当該データに従って間隔を調整し、データが間隔の自動調整を指示するデータの場合には用紙の厚さを割り出して間隔を調整するのに対して、刊行物２記載の発明は間隔の大きさを指示するためのデータに従って間隔を調整するだけである点。
（相違点の検討）
　相違点（１）については、刊行物１に間隔調整手段を制御するためのデータをプリンタ側の記憶手段に記憶させる点が記載されており、この点は当業者が容易に考えつくことができた構成の変更である。
　相違点（２）については、刊行物１には「従来、この種のプリンタにおいては、プラテン上の印字用紙の印字面と印字ヘッドとの間隔を用紙の厚みに拘らず一定に保つ間隔調整手段を備えたものがある。」とあり、刊行物１記載の発明も基本的には印字用紙の印字面と印字ヘッドとの間隔を用紙の厚みに拘らず一定に保つものであるから、本件発明の自動的に間隔を調整する手段に対応する技術といえなくもないが、自動調整を指示するデータを記憶させる点については示唆するものではない。
　そして、そもそも刊行物２記載の発明は、媒体に適した印字圧を選択できるようにすべく間隔を調整するものであるし、用紙サイズを検出するための手段を有しないプリンタであることから、厚さが不明な用紙を対象とする余地はなく、刊行物１記載の発明を刊行物２記載の発明に適応して、この相違点に関する本件発明の構成とすることが当業者が容易に考えつくことができた構成の変更であるとすることはできない。
　相違点（３）については、刊行物１記載の発明は用紙の厚さが不明でも自動的に用紙と印字ヘッドの間隔を調整するものであるから、用紙の厚さを割り出して間隔を自動調整する技術であるとみれなくもないが、そもそも刊行物２記載の発明は用紙サイズを検出するための手段を有しないプリンタであることから用紙の厚さを割り出すための手段を組み込む余地はなく、刊行物１記載の発明を刊行物２記載の発明に適応して、この相違点に関する本件発明の構成とすることが当業者が容易に考えつくことができた構成の変更であるとすることはできない。
　
（５）むすび
　以上のとおりであるから、特許異議申立ての理由によっては本件発明についての特許を取り消すことはできない。
　また、他に本件発明についての特許を取り消すべき理由を発見しない。
　したがって、本件発明についての特許は拒絶の査定をしなければならない特許出願に対してされたものと認めない。
　よって、平成６年改正法附則第14条の規定に基づく、特許法等の一部を改正する法律の施行に伴う経過措置を定める政令（平成７年政令第205号）第4条第2項の規定により、結論のとおり決定する。
【異議決定日】
平成１３年１月１９日（２００１．１．１９）
【訂正の要旨】
訂正の要旨
１．特許請求の範囲の請求項１を、特許請求の範囲の減縮を目的として、
「用紙に印字するための印字ヘッドと、該印字ヘッドと対向して設けられたプラテンと、該印字ヘッドとプラテンとの間隔の調整を行う間隔調整手段と、印字様式のデータと前記間隔調整手段を制御するためのデータであって前記間隔の大きさを指示するためのデータとの組と、前記印字様式のデータと前記間隔調整手段を制御するためのデータであって前記間隔の自動調整を指示するデータとの組とを記憶する記憶手段と、該記憶手段に記憶された複数の印字様式のデータと間隔調整手段を制御するためのデータとの組より所望の組を選択する選択手段と、該選択手段により選択された所望の組における間隔調整手段を制御するためのデータが前記間隔の大きさを指示するためのデータの場合には当該データに従って前記間隔を調整し、前記データが前記間隔の自動調整を指示するデータの場合には前記用紙の厚さを割り出して前記間隔を調整するように前記間隔調整手段を作動させるとともに、前記選択された組における印字様式のデータに従って印字を行うように制御する制御手段とを備えることを特徴とするプリンタ。」
と訂正する。
２．特許明細書の段落番号［０００７］の記載を、明りょうでない記載の釈明を目的として、
「【課題を解決するための手段】
　この目的を達成するために本発明のプリンタは、図１に示されるように、用紙に印字するための印字ヘッド（ａ）と、該印字ヘッドと対向して設けられたプラテン（ｂ）と、該印字ヘッドとプラテンとの間隔の調整を行う間隔調整手段（ｃ）と、印字様式のデータと前記間隔調整手段を制御するためのデータであって前記間隔の大きさを指示するためのデータとの組と、前記印字様式のデータと前記間隔調整手段を制御するためのデータであって前記間隔の自動調整を指示するデータとの組とを記憶する記憶手段（ｄ）と、該記憶手段に記憶された複数の印字様式のデータと間隔調整手段を制御するためのデータとの組より、所望の組を選択する選択手段（ｅ）と、該選択手段により選択された所望の組における間隔調整手段を制御するためのデータが前記間隔の大きさを指示するためのデータの場合には当該データに従って前記間隔を調整し、前記データが前記間隔の自動調整を指示するデータの場合には前記用紙の厚さを割り出して前記間隔を調整するように前記間隔調整手段を作動させるとともに、前記選択された組における印字様式のデータに従って、印字を行うように制御する制御手段（ｆ）とを備えることを特徴とする。」
と訂正する。
３．特許明細書の段落番号［０００９］の記載を、明りょうでない記載の釈明を目的として、
「印字用紙に印字を行うに際し、選択手段（ｅ）により印字様式のデータと間隔調整手段（ｃ）を制御するためのデータとの組が選択されると、制御手段（ｆ）は、選択された印字様式のデータと間隔調整手段（ｃ）を制御するためのデータとの組を記憶手段（ｄ）より読み込んで、読み込まれたデータに応じて、間隔調整手段（ｃ）を作動させるとともに、印字様式のデータに従って印字を行うように制御する。この時、間隔調整手段を制御するためのデータが前記間隔の大きさを指示するためのデータの場合には当該データに従って前記間隔を調整し、前記データが前記間隔の自動調整を指示するデータの場合には前記用紙の厚さを割り出して前記間隔を調整する。」
と訂正する。
４．特許明細書の段落番号［００３７］の記載を、明りょうでない記載の釈明を目的として、
「【発明の効果】
　以上説明した様に、本発明によれば、オペレーターは印字用紙を変更するときに、スイッチパネルの簡単な操作をするだけで、印字様式の設定と同時に印字用紙と印字ヘッドとの間隔を、間隔調整手段を制御するためのデータが間隔の大きさを指示するためのデータの場合には当該データに従って前記間隔を調整し、前記データが前記間隔の自動調整を指示するデータの場合には前記用紙の厚さを割り出して前記間隔を調整することが可能で、印字用紙の吸入たびに、印字用紙厚を検出して間隔の調整をする方法に較べて、業務の処理スピードが向上し、また、プリンタ内部にデーターを保持するため、ホストコンピュータ等の、システムが限定されることがない。」
と訂正する。
（５４）【発明の名称】
プリンタ
（５７）【特許請求の範囲】
　　【請求項１】　
用紙に印字するための
　該印字ヘッドと対向して設けられたプラテンと、
　該印字ヘッドとプラテンとの間隔の調整を行う間隔調整手段と、
　印字様式のデータと前記間隔調整手段を制御するためのデータ
であって前記間隔の大きさを指示するためのデータとの組と、前記印字様式のデータと前記間隔調整手段を制御するためのデータであって前記間隔の自動調整を指示するデータ
　該記憶手段に記憶された複数の印字様式のデータと間隔調整手段を制御するためのデータとの組より所望の組を選択する選択手段と、
　該選択手段により選択された所望の組における間隔調整手段を制御するためのデータ
が前記間隔の大きさを指示するためのデータの場合には当該データに従って前記間隔を調整し、前記データが前記間隔の自動調整を指示するデータの場合には前記用紙の厚さを割り出して前記間隔を調整するように
【発明の詳細な説明】
　　　【０００１】
　　【産業上の利用分野】
　本発明は、印字用紙と印字ヘッドとの間隔を調整可能に構成したプリンタに関する。
　　　【０００２】
　　【従来の技術】
　プリンタは、一般に印字用紙を支持するプラテンと、印字用紙に印字を行う印字ヘッドを含むように構成される。印字ヘッドはプラテンに平行な方向に移動させられながら印字を行うのであるが、印字用紙の厚さは一定とは限らず、美しく質の良い印字を得るためには印字用紙と印字ヘッドとの間隔を一定もしくは印字用紙の厚さに見合った条件にすることが必要である。
　　　【０００３】
　このため従来より、印字用紙と印字ヘッドとの間隔を調整する間隔調整手段は種々報告されており、近年では自動的に間隔を調整を行う方法が一般的である。この自動的に間隔を調整する間隔調整装置は２種類の方法に大別でき、一つは特公昭５９ー３３１１８号公報に記載のプリンタのようにプリンタが何らかの方法で印字用紙の厚みを測定あるいは認識し、適当な間隔に調整するという方法である。他方は特開昭６０ー１８３７７号公報に記載のプリンタのように、ホストコンピュータから紙厚のデータをプリンタに送信し、プリンタは受け取ったデータを基に適当な間隔に調整する方法である。
　　　【０００４】
　　【発明が解決しようとする課題】
　しかしながら前者の方法は確実に適当な間隔を得ることができるが、用紙吸入時毎に印字用紙の測定あるいは認識動作を行うため、処理スピードが遅くなるという欠点がある。
　　　【０００５】
　また後者の方法は、処理スピードは早いものの印字用紙とホストコンピュータを含むシステムが限定されるという欠点がある。
　　　【０００６】
　本発明は上述した問題点を解決するためになされたものであり、処理スピードを向上させ、且つ簡単な操作により印字面と印字ヘッドの間隔を調整可能なプリンタを提供することを目的とする。
　　　【０００７】
　　【課題を解決するための手段】
　この目的を達成するために本発明のプリンタは、図１に示されるように、
用紙に印字するための
であって前記間隔の大きさを指示するためのデータとの組と、前記印字様式のデータと前記間隔調整手段を制御するためのデータであって前記間隔の自動調整を指示するデータ
前記間隔の大きさを指示するためのデータの場合には当該データに従って前記間隔を調整し、前記データが前記間隔の自動調整を指示するデータの場合には前記用紙の厚さを割り出して前記間隔を調整するように
　　　【０００８】
　　【作用】
　上記の構成を有する本発明の作用は次のとおりである。
　　　【０００９】
　印字用紙に印字を行うに際し、選択手段（ｅ）により印字様式のデータと間隔調整手段（ｃ）を制御するためのデータとの組が選択されると、制御手段（ｆ）は、選択された印字様式のデータと間隔調整手段（ｃ）を制御するためのデータとの組を記憶手段（ｄ）より読み込んで、読み込まれたデータに応じて、間隔調整手段（ｃ）を作動させるとともに、印字様式のデータに従って印字を行うように制御する。
この時、間隔調整手段を制御するためのデータが前記間隔の大きさを指示するためのデータの場合には当該データに従って前記間隔を調整し、前記データが前記間隔の自動調整を指示するデータの場合には前記用紙の厚さを割り出して前記間隔を調整する。
　　　【００１０】
　　【実施例】
　以下、本発明を具体化した一実施例を図面を参照して説明する。
　　　【００１１】
　まずプリンタの要部の概略的な構成を示す図２に於いて、キャリジ１はプラテン２に沿って設けられたガイドバー３に摺動自在に取り付けられている。またキャリジ１の図で手前側に設けられたスライド溝１ａに、前記ガイドバー３と平行に設けられた固定バー４が遊挿されている。このキャリジ１は、図示しない一対のプーリー、ベルト及び駆動モータなどからなる周知のキャリジ駆動機構により、ガイドバー３に沿って移動されるようになっている。尚、これらプラテン２，ガイドバー３，固定バー４は、その両端部分がプリンタの本体に設けられた図示しない側板に支持されている。
　　　【００１２】
　そして前記キャリジ１には、印字ヘッド８がプラテン２に対向して設けられると共に、図示しないインクリボンカセットが交換可能に取り付けられている。さらに、このキャリジ１の先端部分にはインクリボンによる前記印字用紙６の汚れを防止するためのリボンマスク９が取り付けられている。周知のように前記印字ヘッド８は先端部分に多数本が縦に並んだ印字ワイヤを備え、この印字ワイヤをプラテン２側に突出させ、インクリボンをリボンマスク９の切欠９ａを通して前方へ押し付けるようになっている。これにより印字ヘッド８は、キャリジ１の移動にともない前記プラテン２上にセットされた印字用紙６に対して平行に移動しつつ、該印字用紙６の紙面にインクリボンのインクを打ちつけて印字を行うようになっている。また印字用紙６は、前記プラテン２などを回動させる用紙送り装置３４（図３参照）により送られるようになっている。
　　　【００１３】
　次に本実施例の間隔調整装置について説明する。図２に示すように、前記ガイドバー３の両端には、その軸心から偏心した位置に偏心軸部３ａ（片側のみ図示）が一体的に設けられている。この偏心軸部３ａは前記側板に回動自在に支持され、これによりガイドバー３はその軸心から偏心した軸を中心に矢印Ｘ及び矢印Ｙ方向に回動可能とされ、以てガイドバー３の回動に伴って前記キャリジ１が、前記プラテン２に対して接する方向及び離れる方向に移動するようになっている。そして偏心軸部３ａは接離機構１１に連結され、この接離機構１１によりガイドバー３が矢印Ｘ，Ｙ方向に回動するようになっている。この接離機構１１は、この場合ステップモータ１２の回転力が軸１３に回動自在に設けられた駆動ギヤ１４に減速されて伝達され、この駆動ギヤ１４の回転力が前記軸１３に回動自在に設けられた従動ギヤ１５にピン１６を介して伝達され、更に従動ギヤ１５の回転力が偏心軸部３の端部に固着された揺動ギヤ１７に伝達される構成となっている。このとき前記ピン１６は、一端部が従動ギヤ１５に固定され、他端部分が駆動ギヤ１４に周方向に延びて構成された長孔１８に挿通されており、これと共に該駆動ギヤ１４に設けられたねじりコイルばね１９のばね力により長孔１８の一端部１８ａ側に押し付けられている。
　　　【００１４】
　これにてステップモータ１２の正回転による駆動ギヤ１４の矢印Ｙ’１方向の回転はそのまま従動ギヤ１５に伝達されてガイドバー３が矢印Ｙ方向に回動され、以てキャリジ１がプラテン２から離間する方向に後退するようになっている。
　　　【００１５】
　一方ステップモータ１２の逆回転による駆動ギヤ１４の矢印Ｘ’方向の回転は、ねじりコイルばね１９を介して従動ギヤ１５に伝達されてガイドバー３が矢印Ｘ方向に回動され、以てキャリジ１がプラテン２に近接する方向に前進するようになっている。このときこのキャリジ１の前進方向への移動は、キャリジ１先端のリボンマスク９がプラテン２あるいはプラテン上にセットされた印字用紙６に当接する事により規制されるものであるが、この規制により従動ギヤ１５の負荷トルクが所定の大きさ以上となるとねじりコイルばね１９が変形してピン１６に回転が伝達されなくなり従動ギヤ１５が停止するようになっている。
　　　【００１６】
　またこの接離機構１１には、従動ギヤ１５に取り付けられた多数のスリットを有する回転円盤２０と、この回転円盤２０の光の透過，遮断を検出するホトインタラプタ２１からなるエンコーダ２２が設けられている。このエンコーダ２２は、キャリジ１のプラテン２あるいは印字用紙６への押し当て時に従動ギヤ１５が停止したことを検出するため、及びキャリジ１をプラテン２から十分離間した所定の位置（以下原点ｏと称する）に停止させるためのもので、その出力が制御装置２３（図３参照）に与えられるようになっている。
　　　【００１７】
　この制御装置２３は図３に示すように、ＣＰＵ（中央演算処理装置）２４，プリンタ全体の動作を制御するプログラムなどが書き込まれたＲＯＭ２５，各種データを一時的に記憶するＲＡＭ２６，印字様式や紙厚のデータを記憶し消去書換可能な不揮発性のＥＥＰＲＯＭ２７及びこれらを相互に接続するバス２８からなる。そして、この制御装置２３は、ステップモータ１２の駆動を開始してから停止するまでに要した駆動パルス数をカウントすることにより原点ｏからの移動距離を、ステップモータ１２の駆動パルス数として検出するようになっている。即ち前記接離機構１１に設けられているエンコーダ２２によりキャリジ１のプラテン２あるいは印字用紙６への押し当て時に従動ギヤ１５が停止したことを検出すると、原点ｏからの移動距離すなわち印字用紙６の紙厚に対応する値をステップモータ１２の駆動パルス数として認識するようになっている。
　　　【００１８】
　上記構成のプリンタにおいて、本実施例では印字様式及び間隔調整を任意に設定及び選択可能になっている。即ち、図示しないプリンタ本体の外面に備える操作パネル３１には図３に示すように、印字様式及び紙厚データを変更するための変更キーＢ１乃至Ｂ３，変更した各種データを設定するための設定キーＣ，変更したデーターをＥＥＰＲＯＭ２７に記憶させるための登録キーＤ，各種情報を表示する液晶表示パネルＡが設けられている（図３参照）。
　　　【００１９】
　各キーによる動作を液晶表示パネルＡの表示を示す図４の説明図及び図５のフローチャートを参照して説明する。
　　　【００２０】
　まず、プリンタに電源が投入されオフライン状態に設定されると、印字様式の設定が可能な状態となる。
　　　【００２１】
　ステップ１０１において、対象となる印字様式番号ｎが前記液晶パネルＡに表示される。次にステップ１０３において前記変更キーＢ１の状態を検出して、押下状態であればその対象となる印字様式番号ｎを変更する。さらにステップ１０５において、設定キーＣが押下状態であるか否かを判断する。ここで否であれば、前記ステップ１０１に戻る。即ちこのステップ１０１乃至１０５のループにより、変更キーＢ１を押過するごとに対象となる印字様式番号ｎが順次表示されるのである。オペレータは所望の番号が表示されるまで変更キーＢ１を押下して、その状態で設定キーＣを押下する事により、印字様式の番号を選択することが出来る。
　　　【００２２】
　このようにして、設定対象となる印字様式の番号が設定されると、次にステップ１０７において、その対象となる様式番号にすでに登録済みの印字様式の内容ｍ及びデータ１が前記液晶表示パネルＡに表示される。この状態で、ステップ１０９において、変更キーＢ２及び変更キーＢ３の押下状態が判断され、押下状態であれば対応するデータの変更を行い、ステップ１１１に移行する。また押下されていなければ、何も行わずにステップ１１１に移行する。そして、ステップ１１１では、設定キーＣが押下状態であるか否かを判断して、否ならばステップ１０７に戻る。
　　　【００２３】
　一般に印字様式としては多数のデータが存在するので、設定キーＣが押下されるまでのステップ１０７乃至ステップ１１１のループにより、印字様式、並びに用紙厚のデータが順に変更されることになる。
　　　【００２４】
　例えば図４に示すように、変更キーＢ２の押し下げ操作により、印字様式内容ｍの一例である″インジソクド″（印字速度）、″アタマダシ″（頭出し）、″カミアツ″（紙厚）等が順次表示され、また、例えば″インジソクド″が表示されている状態で変更キーＢ３を押し下げることにより、″インジソクド″のデータ１の一例である″セイオン″（静音）、″コウミツ″（高密）、″コウソク″（高速）等が順次表示される。所望のデータ１の表示のところで変更キーＢ３を押し下げ操作することにより次の印字様式の内容ｍとそのデータ１が表示されるため、紙厚のデータ等他のデータの変更も同様にして行う。この紙厚のデータとしては普通紙に印字する場合には″１″、複写紙に印字する場合にはその枚数（例えば３パーツ紙では″３″）を指定する。また紙厚が不明な場合には″オート″を指定する。
　　　【００２５】
　そして前記ステップ１１１において設定キーＣが押下されたと判断されると、その対象となる印字様式番号ｎの印字様式の設定が終了したと判断されてステップ１１３に移行する。
　　　【００２６】
　ステップ１１３においては登録キーＤを押し下げ操作することにより、各種データはＥＥＰＲＯＭ２７の印字様式番号ｎの記憶領域に書き込まれ、ステップ１０１に戻る。
　　　【００２７】
　この状態において、他の印字様式番号の内容も変更可能になる。
　　　【００２８】
　次に印字を行う際の処理を説明する。
　　　【００２９】
　オンライン状態にモード変更すると印字可能状態となるが、その直前において前記ステップ１０１乃至１０５のループ状態であれば、モード変更時点で表示されていた印字様式番号の印字様式が、印字状態における印字様式として選択される。またステップ１０７乃至１１１のループであれば、その設定中の内容が強制的にＥＥＰＲＯＭに書き込まれると共に、その書き込まれたデータが印字様式となる。
　　　【００３０】
　ＣＰＵ２４は、前記設定された印字様式番号の各種印字様式のデータ及び紙厚のデータをＥＥＰＲＯＭ２７より読み込んで、キャリジ移行装置３５，用紙送り装置３４，印字ヘッド駆動装置３３，間隔調整装置３６等を制御して、選択された印字様式に従ってホストコンピューターから受け取った印字データの印字を行う。
　　　【００３１】
　このとき紙厚データとして数字が設定されている場合には、その数字の示す用紙の枚数における適正なヘッドと用紙の間隔に起因する原点ｏからのステップモータ１２の駆動ステップ数が、ＲＯＭ２５より読み出される。そしてＲＡＭ２６に記憶されている原点ｏから現在の印字ヘッドの位置までの駆動ステップ数との差に起因する駆動パルスがステップモータ１２に付与される。
　　　【００３２】
　また自動的に間隔を調整する方法としては、例えば次の方法が知られている。まず原点ｏの位置に印字ヘッド８を移動させ、その後にリボンマスク９がプラテン８にセットされている用紙に当接するまで前進させる。そしてその当接により印字ヘッド８が停止すると、即ちエンコーダ２２の出力の変化がなくなると、その当接までに要したステップモータ１２の駆動ステップ数より、用紙の厚さを割り出す。そしてその用紙の厚さに応じて、ステップモータ１２を駆動して印字ヘッド８を後退させ、所望の印字ヘッド８と用紙間の適正間隔を得る。
　　　【００３３】
　前記実施例において紙厚データを″オート″に設定することにより、厚みが不明な用紙に対してもオペレータの負担が増すことはない。つまり、厚みが明確である用紙に対しては紙厚データをその紙厚に応じて数字で設定することにより、業務の処理速度を向上することができる。また紙厚が不明な用紙に対しては、紙厚データを″オート″に設定することにより間隔調整装置３６が自動的に間隔を調整するため、印字ミスを防止することが出来る。
　　　【００３４】
　また印字様式としてデータを指定せず、且つ用紙厚のデータとして″オート″を指定したもの、即ち印字様式を予め指定することのできない一般のプリンタと同一の動作を行う状態を示すモードも、本発明における印字様式と用紙の厚さに関するデータの組として扱える。またこのモードは書換え不能なメモリに記憶し、何等指定を行われない状態（デフォルト）にこのモードとなるようにしてもよい。
　　　【００３５】
　また、記憶手段として、単一の印字フォーマットと用紙の厚さデータを記憶したＩＣカードを多数用意し、選択手段としてそれらの内の一枚のＩＣカードのみをセット可能としたＩＣカード読み取り装置を用いて、所望の印字フォーマット及び用紙の厚さデータをが記憶されたＩＣカード読み取らすことにより、選択を行うようにしてもよい。
　　　【００３６】
　その他本考案の趣旨を逸脱しない範囲で、種々の変形が可能である。
　　　【００３７】
　　【発明の効果】
　以上説明した様に、本発明によれば、オペレーターは印字用紙を変更するときに、スイッチパネルの簡単な操作をするだけで、印字様式の設定と同時に印字用紙と印字ヘッドとの間隔を
、間隔調整手段を制御するためのデータが間隔の大きさを指示するためのデータの場合には当該データに従って前記間隔を調整し、前記データが前記間隔の自動調整を指示するデータの場合には前記用紙の厚さを割り出して前記間隔を調整
【図面の簡単な説明】
　【図１】
　本発明の構成を概略的に示すブロック図である。
　【図２】
　本発明の一実施例である印字装置の要部を示す斜視図である。
　【図３】
　本発明の印字装置の制御装置のブロック図である。
　【図４】
　本発明の一実施例の動作説明に用いる説明図である。
　【図５】
　本発明の一実施例の動作説明に用いるフローチャートである。
　【符号の説明】
ａ　　印字ヘッド
ｂ　　プラテン
ｃ　　間隔調整手段
ｄ　　記憶手段
ｅ　　選択手段
ｆ　　制御手段
２　　プラテン
１１　接離機構（間隔調整手段）
１８　印字ヘッド
２３　制御装置（制御手段）
２７　ＥＥＰＲＯＭ（記憶手段）